(57)【要約】【課題】画像読取部３４の連続的な往復動作の累積に伴って駆動モータ５が温度上昇しても、透明ガラス板１３が内側から汚れにくい画像読取装置を提供する。【解決手段】画像読取部３４に固定された歯付きベルト８の駆動力を発生させる駆動モータ５及び駆動伝達機構Ｄを筺体７の外部に配置する。駆動板金３は、筺体７の外側に取り付けられて駆動モータ５と駆動伝達機構Ｄとを支持する。歯付きベルト８に噛み合う歯付きプーリ２は、筺体７に形成された駆動開口部を通じて、筐体内空間７ｓに歯付きベルト８との係合部を位置させ、筐体内空間７ｓの外部に駆動伝達機構Ｄとの係合部を位置させている。【選択図】図１
2016096372.tif 000002
【特許請求の範囲】
【請求項１】
原稿が載置される透明板部材と、
前記透明板部材が固定されて前記透明板部材との間に筐体内空間を形成する筐体と、
前記筐体内空間において所定方向へ移動可能に配置され、前記所定方向の移動に伴って前記透明板部材を介して原稿の画像を読み取る読み取りユニットと、
前記読み取りユニットに一部分が固定され、回転することにより前記読み取りユニットを前記所定方向へ移動させる無端状の駆動伝達部材と、
前記駆動伝達部材を駆動する駆動力を発生する駆動モータと、を備え、
前記駆動モータは、前記筐体内空間の外部に配置されていることを特徴とする画像読取装置。
【請求項２】
回転することにより前記駆動伝達部材を駆動する駆動回転体と、
前記筐体内空間の外部に配置されて前記駆動モータの回転を前記駆動回転体に伝達する歯車機構と、を備え、
前記駆動回転体は、前記筐体に形成された駆動開口部を通じて、前記筐体内空間に前記駆動伝達部材との係合部を位置させ、前記筐体内空間の外部に前記歯車機構との係合部を位置させていることを特徴とする請求項１に記載の画像読取装置。
【請求項３】
前記駆動回転体は、前記筐体内空間の外部に位置して回転軸線に垂直な断面積が前記駆動開口部の面積よりも大きい段差部を有することを特徴とする請求項２に記載の画像読取装置。
【請求項４】
前記駆動モータと前記歯車機構とを支持して前記筐体の外側に取り付けられた支持部材を備えることを特徴とする請求項２又は３に記載の画像読取装置。
【請求項５】
前記歯車機構は、前記筺体と前記支持部材の間隔に配置され、前記駆動モータは、出力軸を前記筺体と前記支持部材の間隔に位置させて前記支持部材の前記筺体とは反対側の面に配置されていることを特徴とする請求項４に記載の画像読取装置。
【請求項６】
前記駆動回転体は、前記筐体内空間において前記駆動伝達部材を前記所定方向の一端側で張架し、
前記支持部材は、前記筐体に対して前記所定方向へ取り付け位置を調整可能に取り付けられていることを特徴とする請求項４又は５に記載の画像読取装置。
【請求項７】
前記筐体は、前記駆動開口部を有して前記筐体から取り外し可能な板部材を有し、
前記板部材は、前記支持部材の前記筐体への取り付けに伴って前記筐体に固定されていることを特徴とする請求項４乃至６のいずれか１項に記載の画像読取装置。
【請求項８】
前記支持部材は、板金を折り曲げて脚部を形成し、前記脚部の先端側を外側へ曲げて前記筐体に対する取り付け部を形成していることを特徴とする請求項１乃至７のいずれか１項に記載の画像読取装置。
【請求項９】
前記支持部材は、板金の四辺を起立させて箱型に形成されていることを特徴とする請求項１乃至８のいずれか１項に記載の画像読取装置。
【請求項１０】
前記駆動伝達部材は、無端状の歯付きベルトであって、
前記駆動回転体は、前記歯付きベルトに噛み合う歯付きプーリであることを特徴とする請求項１乃至９のいずれか１項に記載の画像読取装置。
【請求項１１】
トナー像を形成してシートに転写するトナー像形成部と、
トナー像が転写された記録材を加熱して画像をシートに定着させる定着装置と、
前記トナー像形成部の上方に配置されて前記定着装置で画像を定着されたシートが積載される積載部と、
前記積載部の上方に配置された請求項１乃至１０のいずれか１項に記載の画像読取装置と、を備えることを特徴とする画像形成装置。
【請求項１２】
トナー像を形成してシートに転写するトナー像形成部と、
トナー像が転写された記録材を加熱して画像をシートに定着させる定着装置と、
前記トナー像形成部の上方に配置されて前記定着装置で画像を定着されたシートが積載される積載部と、
前記筐体よりも前記トナー像形成部側に前記支持部材を突出させ、前記支持部材よりも前記トナー像形成部側に前記駆動モータを突出させた請求項４乃至１０のいずれか１項に記載の画像読取装置と、を備えることを特徴とする画像形成装置。
【発明の詳細な説明】
【技術分野】
【０００１】
本発明は、原稿が載置された透明板部材下で所定方向に読み取りユニットを移動させて透明板部材越しに原稿の画像を読み取る画像読取装置、及び画像読取装置を搭載した画像形成装置に関する。
【背景技術】
【０００２】
原稿が載置された透明板部材下で所定方向に読み取りユニットを移動させて透明板部材越しに原稿の画像を読み取る画像読取装置が広く用いられている。画像読取装置は、イメージスキャナ、フラットベッドスキャナとして単体で商品化されている外、マルチファンクションプリンタ（ＭＦＰ）、複写機、ファクシミリ、複合機等の電子写真方式あるいはインクジェット方式の画像形成装置に備えられている。
【０００３】
特許文献１乃至３の画像読取装置は、副走査方向に受光素子と照明素子を配列したセンサアレイを、直動ガイドによって主走査方向へ移動可能に支持された移動ブロックに固定して読み取りユニットを構成している。特許文献２では、読み取りユニットは、歯付きベルトに固定され、歯付きベルトの回転に伴って主走査方向へ移動する。
【先行技術文献】
【特許文献】
【０００４】
【特許文献１】特開２００７−２７４６２８号公報
【特許文献２】特開２００９−２５３３２８号公報
【特許文献３】特開２００２−１８５７１０号公報
【発明の概要】
【発明が解決しようとする課題】
【０００５】
近年、画像読取装置が薄型化される傾向があり、画像読取装置の筐体内に配置された駆動モータから発生するオイル蒸気が透明板部材に付着して透明板部材が内側から汚れることが顕著になった。ここで、特許文献１の画像読取装置では、モータと透明板部材とを銅板で連絡して駆動モータを冷却することによりオイル蒸気の発生を抑制している。また、特許文献３の画像読取装置では、駆動モータの温度が限界温度を超えると、画像読取装置を一時的に停止させることにより、駆動モータの過熱を防止してオイル蒸気が発生することを回避している。
【０００６】
しかし、いずれの方法も駆動モータから発生するオイル蒸気の問題を十分に解決できず、画像読取装置の稼働の累積に伴って透明板部材が内側から汚れてしまった。本発明は、画像読取装置の稼働の累積に伴って透明板部材が内側から汚れにくい画像読取装置を提供することを目的としている。
【課題を解決するための手段】
【０００７】
本発明の画像読取装置は、原稿が載置される透明板部材と、前記透明板部材が固定されて前記透明板部材との間に筐体内空間を形成する筐体と、前記筐体内空間において所定方向へ移動可能に配置され、前記所定方向の移動に伴って前記透明板部材を介して原稿の画像を読み取る読み取りユニットと、前記読み取りユニットに一部分が固定され、回転することにより前記読み取りユニットを前記所定方向へ移動させる無端状の駆動伝達部材と、前記駆動伝達部材を駆動する駆動力を発生する駆動モータと、を備えるものである。そして、前記駆動モータは、前記筐体内空間の外部に配置されている。
【発明の効果】
【０００８】
本発明の画像読取装置では、駆動モータが筐体内空間の外部に配置されるため、駆動モータの温度上昇に伴って発生するオイル蒸気が筐体内空間に放出されない。したがって、画像読取装置の稼働の累積に伴って透明板部材が内側から汚れ難い。
【図面の簡単な説明】
【０００９】
【図１】実施の形態１における画像形成装置の構成の説明図である。
【図２】比較例１の画像読取装置の構成の説明図である。
【図３】画像読取装置の平面構成の説明図である。
【図４】上方から見た駆動ユニットの取り付け状態の斜視図である。
【図５】下方から見た駆動ユニットの取り付け状態の斜視図である。
【図６】駆動ユニットの動力伝達機構の拡大図である。
【図７】駆動板金の固定状態の説明図である。
【図８】実施の形態２における駆動板金の説明図である。
【図９】実施の形態３における駆動板金の説明図である。
【発明を実施するための形態】
【００１０】
以下、図面を参照して本発明の実施の形態を詳細に説明する。
【００１１】
＜実施の形態１＞
（画像形成装置）
図１は画像形成装置の構成の説明図である。画像形成装置１０は、画像形成を実行する装置本体１０Ａの上部に画像読取装置１１を配置している。画像読取装置１１は、フラットベッドスキャナとして原稿Ｇの画像を読み取って画像データを作成する。
【００１２】
装置本体１０Ａは、画像読取装置１１から送信された画像データに基づいて、シートＰに原稿の画像を複写する。装置本体１０Ａは、外部のファクシミリやパソコン等から送られてくる画像情報も、シートに画像形成することができる。装置本体１０Ａは、感光ドラム１９に形成したトナー像をシートに転写して定着装置２０に搬送する。定着装置２０は、トナー像が転写されたシートを加熱加圧してシートに画像を定着させる。
【００１３】
カセット１６は、シートを収納している。分離ローラ１７は、カセット１６から引き出されたシートを１枚ずつ分離してレジストローラ４１へ送り出す。レジストローラ４１は、感光ドラム１９のトナー像にタイミングを合わせてシートをトナー像形成部４０へ送り込む。
【００１４】
トナー像形成部４０は、回転する感光ドラム１９の周囲に帯電ローラ４２、露光装置１５、現像装置４３、転写ローラ１８、ドラムクリーニング装置４４を配置している。帯電ローラ４２は、感光ドラム１９の周面を一様な電位に帯電させる。露光装置１５は、帯電した感光ドラム１９の周面をレーザービームで走査露光して画像の静電潜像を形成する。
【００１５】
現像装置４３は、感光ドラム１９にトナーを供給して静電潜像をトナー像に現像する。転写ローラ１８は、トナーの帯電極性と逆極性の電圧を印加されて、感光ドラム１９のトナー像を、転写部Ｔを通過するシートへ転写する。ドラムクリーニング装置４４は、感光ドラム１９にクリーニングブレードを摺擦させて転写残トナーをクリーニングする。定着装置２０は、転写部Ｔを通過してトナー像が転写された記録材を加熱加圧して記録材に画像を定着させる。
【００１６】
片面印刷モードの場合、定着装置２０で表面の画像が定着されたシートは、排出ローラ２１から排出トレイ２２へ順次搬出される。両面印刷モードの場合、定着装置２０で表面の画像が定着されたシートは、排出ローラ２１でスイッチバックして反転搬送経路２３へ進む。シートは、シートの前後を入れ替えて表裏反転した状態で再びレジストローラ４１で待機する。そして、感光ドラム１９から裏面にもトナー像を転写され、定着装置２０で裏面の画像が定着されたシートは、排出ローラ２１から排出トレイ２２へ順次搬出される。
【００１７】
以上説明したように、トナー像形成部４０は、トナー像を形成してシートに転写する。定着装置２０は、トナー像が転写された記録材を加熱して画像をシートに定着させる。積載部の一例である排出トレイ２２は、トナー像形成部４０の上方に配置されて定着装置２０で画像を定着されたシートが積載される。
【００１８】
（画像読取装置）
図１に示すように、画像読取装置１１は、停止状態の画像読取部３４上へ連続的に原稿を給送する原稿給送装置１２を装備している。原稿給送装置１２は、画像読取部３４の上方の透明ガラス板１３の上面に原稿Ｇを連続的に搬送して通過させ、その後、原稿排出トレイ２７へ自動的に排出する。画像読取部３４は、透明ガラス板１３の上を通過する原稿の下面の画像を透明ガラス板１３越しに読み取って画像データを生成する。画像読取装置１１は、原稿給送装置１２によって送り込まれてくる原稿を画像読取部３４によって光学的に順次読み取り（流し読みして）、その画像情報をデジタル信号として露光装置１５に送る。
【００１９】
また、画像読取部３４は、透明ガラス板１３の下側を副走査方向に移動しながら透明ガラス板１３の上に下向きに置かれた原稿における主走査方向の線状の領域の画像を次々に読み取る。画像読取部３４が１回に読み取る画像の方向を主走査方向、画像読取部３４が移動する方向を副走査方向と呼ぶ。
【００２０】
画像読取装置１１は、ユーザが原稿給送装置１２を後方へ倒して開くことにより、透明ガラス板１３の上面が開かれて、透明ガラス板１３上に原稿を載置可能になる。ユーザが透明ガラス板１３に原稿を載置して原稿給送装置１２を手前側に引き倒すことにより、画像読取装置１１は、原稿を読み取り可能となる。この状態で、ユーザが画像操作パネルのコピー開始ボタンを押すと、画像読取部３４が透明ガラス板１３下で移動開始して原稿の画像が読み取られる。
【００２１】
図１に示すように、透明板部材の一例である透明ガラス板１３は、原稿が載置される。筐体の一例である筺体７は、透明ガラス板１３が固定されて透明ガラス板１３との間に筐体内空間７ｓを形成する。読み取りユニットの一例である画像読取部３４は、筐体内空間において所定方向へ移動可能に配置され、所定方向の移動に伴って透明ガラス板１３を介して原稿の画像を読み取る。
【００２２】
（比較例）
図２は比較例１の画像読取装置の構成の説明図である。比較例１は、駆動モータ及び駆動伝達機構が画像読取装置の筐体内空間に配置されている以外は、図１の画像読取装置１１と同一に構成され、同一に作動する。このため、図２中、図１と共通する構成には共通の符号を付して重複する説明を省略する。
【００２３】
図２に示すように、比較例の画像読取装置１１Ｈは、画像読取部３４を移動するための駆動モータ５Ｊ及び駆動伝達機構Ｄが筐体内空間に配置されている。このため、画像読取部３４が連続的に往復移動して駆動モータ５Ｊが温度上昇すると、駆動モータ５Ｊから筐体内空間にオイル粒子が排出される。また、画像読取部３４が連続移動して駆動伝達機構Ｄが温度上昇すると、駆動伝達機構Ｄに塗布されているグリスの微粒子が筐体内空間に排出される。筺体内空間に排出されたオイル粒子やグリス粒子が透明ガラス板１３の内側面に結露すると、画像読取部３４による正常な原稿画像の読み取りに支障をきたすようになる。画像読取部３４を連続で往復動作させた際に駆動モータ５Ｊの昇温により駆動伝達機構Ｄ等に塗布されたグリスが徐々に蒸発して透明ガラス板１３に付着し、原稿の読取輝度を低下させてしまう。そして、透明ガラス板１３を取り外して透明ガラス板１３の内側面を清掃する必要が生じる。
【００２４】
そこで、比較例１では、特許文献２に示されるように、駆動モータ５Ｊから熱伝導の良い金属板を引き出して透明ガラス板１３に金属板の一端を接触させている。駆動モータ５Ｊの発生熱を金属板を通じて透明ガラス板１３へ放熱することで、駆動モータ５Ｊの温度上昇を抑制している。しかし、透明ガラス板１３の熱伝導率が低いため、駆動モータ５Ｊと金属板とが一体に温度上昇してしまい、駆動モータ５Ｊの連続運転を行うと駆動モータ５Ｊからオイル微粒子が排出されて透明ガラス板１３が汚れてしまった。駆動モータ５Ｊの昇温抑制を目的として透明ガラス板１３をヒートシンクとして利用している場合、画像読み取りを連続的に実行した場合には冷却効率はあまり良くなく、もっと効果的な構成が必要である。
【００２５】
また、比較例３では、特許文献３に示されるように、駆動モータの温度を検知して閾値温度を超えると駆動モータ５Ｊを停止させて温度が低下するのを待たせる。しかし、温度が低下するのを待つ間、原稿画像の連続的な読み取りにダウンタイムが発生して非効率的であるという印象をユーザに与える可能性がある。そこで、実施の形態１では、図１に示すように、駆動モータ及び駆動伝達機構を含む駆動ユニット１を筐体外空間に配置して、オイル微粒子やグリス微粒子が透明ガラス板１３に回り込んで付着することがないようにした。
【００２６】
（駆動ユニット）
図３は画像読取装置の平面構成の説明図である。図４は上方から見た駆動ユニットの取り付け状態の斜視図である。図５は下方から見た駆動ユニットの取り付け状態の斜視図である。図６は駆動ユニットの動力伝達機構の拡大図である。図７は駆動板金の固定状態の説明図である。図１に示すように、画像読取装置１１の筺体７は、上面筺体７ａと底面筺体７ｂとに分割される。
【００２７】
図３に示すように、底面筺体７ｂにはガイドレール３６が固定されている。移動ブロック３７は、図示しない直動ベアリングを介してガイドレール３６に支持され、ガイドレール３６に沿ってがたつき無く副走査方向へ移動可能である。
【００２８】
底面筺体７ｂのガイドレール３６に沿った一端側には歯付きプーリ３５が回転自在に設けられている。底面筺体７ｂのガイドレール３６に沿った他端側にはビス３８を用いて下面側から駆動ユニット１が固定されている。駆動ユニット１には、駆動ユニット１によって駆動される歯付きプーリ２が配置されている。
【００２９】
無端状の駆動伝達部材の一例である歯付きベルト８は、画像読取部３４に一部分が固定され、回転することにより画像読取部３４を所定方向へ移動させる。歯付きベルト８は、筺体内部空間で画像読取部３４を移動させる。駆動回転体の一例である歯付きプーリ２は、回転することにより歯付きベルト８を駆動する。歯付きプーリ２と歯付きプーリ３５との間に歯付きベルト８が張架されている。歯付きベルト８にビス３９を用いて移動ブロック３７が固定されている。このため、駆動ユニット１が歯付きプーリ２を回転駆動して歯付きベルト８を矢印Ｒ８方向に回転させると、移動ブロック３７は矢印Ｒ３７方向に移動する。
【００３０】
移動ブロック３７には画像読取部３４が固定されている。画像読取部３４の上面には、画像読取センサ９と発光部１４とが平行に配置されている。図１に示すように、移動ブロック３７の移動に伴って、発光部１４による線状の照明領域が原稿面を副走査方向に移動する。画像読取センサ９は線状の照明領域を所定の解像度で線状に読み取る。
【００３１】
図４に示すように、画像読取装置１１の底面筺体７ｂには、歯付きベルト８を駆動して画像読取部３４をガイドレール３６に沿って移動させる駆動ユニット１が着脱可能に取り付けられている。
【００３２】
図５に示すように、駆動伝達機構Ｄは、パルスモータによる１ピッチごとの位置決め停止が可能な駆動モータ５の駆動力を歯付きプーリ２に伝達する。歯車機構の一例である駆動伝達機構Ｄは、駆動モータ５の回転を歯付きプーリ２に伝達する。駆動モータの一例である駆動モータ５は、歯付きベルト８を駆動する駆動力を発生する。駆動モータ５は、駆動伝達機構Ｄを介して歯付きプーリ２を回転させて歯付きベルト８を駆動する。
【００３３】
図６に示すように、歯付きプーリ２は、筐体内空間７ｓにおいて歯付きベルト８を所定方向の一端側で張架する。駆動固定板４は、底面筺体７ｂの取り付け開口部（７ｐ：図４）に隙間なく嵌め込んで、底面筺体７ｂに対して下方から着脱可能に取り付けられている。駆動板金３は、底部３ｓの三辺に脚部３ｆを立上げて脚部３ｆの先端部３ｇを底部３ｓと平行に外側へ折り曲げている。
【００３４】
図６に示すように、先端部３ｇには歯付きベルト８の張架方向に長い長穴３ｎが形成されているため、駆動板金３の取り付け位置は、長穴３ｎの範囲で歯付きベルト８の張架方向に位置調整可能である。
【００３５】
図７に示すように、駆動ユニット１は、駆動固定板４によって筺体内空間から遮蔽されている。画像読取装置１１の筐体内空間に位置させて駆動固定板４上には歯付きプーリ２のみが配置される。歯付きプーリ２及び歯付きベルト８は自己潤滑性のある樹脂材料が使用されているため、潤滑剤が塗布されていない。
【００３６】
駆動モータ５は、運転に伴って発熱して熱源となる。駆動ギア６には、潤滑グリスが塗布されている。このため、画像読取部３４を連続的に往復移動させて駆動モータ５を回転させ続けると、駆動モータ５に加熱されて駆動ギア６が温度上昇してグリス成分が蒸発する可能性がある。しかし、駆動ギア６は、駆動固定板４によって筺体内空間から遮蔽されているため、蒸発したグリス成分が画像読取装置１１の透明ガラス板１３に到達することを防止できる。
【００３７】
図６に示すように、駆動伝達機構Ｄは、駆動板金３で底面を遮蔽されているが、駆動伝達機構Ｄの側面は脚部３ｆを除いて４方向が開放されている。このため、駆動伝達機構Ｄの周囲には空気の対流が発生して冷却に関与するため、通常環境（温度２５℃湿度５０％）であればそもそもグリス成分が蒸発するほど駆動ギア６が温度上昇しない。このため、画像読取装置１１は、連続的に画像読み取りを実行した場合でも、画像読取装置１１の読取性能をスペック通り発揮することができ、且つ駆動モータ５の昇温による弊害が発生し難い。
【００３８】
（実施の形態１の効果）
実施の形態１では、図１に示すように、画像読取装置１１は、排出トレイ２２の上方に配置され、筺体７よりもトナー像形成部側に駆動板金３を突出させ、駆動板金３よりもトナー像形成部側に駆動モータ５を突出させている。このため、上面筺体７ａまたは透明ガラス板１３を取り外ことなく、排出トレイ２２側から駆動モータ５等を容易に交換ができ、サービス性が良い。
【００３９】
実施の形態１では、図５に示すように、駆動ユニット１が底面筺体７ｂに取り付けられた状態では、駆動モータ５と駆動ギア６が画像読取装置１１の筺体７から下方向へ突出するように配置されている。このため、駆動モータ５の空冷効果が高く、温度上昇が緩和されて揮発物質が発生し難い。駆動ユニット１は、運転中に熱源となる駆動モータ５のコイル部分が駆動板金３から突出して外気に接しているため、運転中の駆動モータ５の温度を低く保つことができる。筺体７の内部空間から遮蔽された位置に駆動モータ５があるため、駆動モータ５を外部に露出することが容易となり、駆動モータ５の昇温を抑制し易く、グリスの蒸発自体が少なくなる。
【００４０】
実施の形態１では、図６に示すように、駆動モータ５と駆動ギア６の回転部分は、駆動板金３によって遮蔽されて外側から手指やシートが干渉しないようになっている。
【００４１】
実施の形態１では、図６に示すように、駆動モータ５は、筐体内空間７ｓの外部に配置されている。このため、駆動モータ５の発熱に伴って発生する揮発物質が筐体内空間７ｓに侵入し難い。また、駆動伝達機構Ｄは、筐体内空間７ｓの外部に配置されている。このため、駆動伝達機構Ｄの温度上昇に伴って発生する揮発物質が筐体内空間７ｓに侵入し難い。すなわち、歯付きベルト８に掛かる歯付きプーリ２以外の駆動ユニット１の構成が筺体７で囲われた空間から遮蔽される構成を持つため、蒸発したグリスを透明ガラス板内側面に付着することを防止できる。駆動伝達機構Ｄの駆動歯車列を筺体７の内部空間から遮蔽することで蒸発等によるグリス成分がプラテン内側に付着することを妨げている。
【００４２】
実施の形態１では、図６に示すように、支持部材の一例である駆動板金３は、筺体７の外側に取り付けられて駆動モータ５と駆動伝達機構Ｄとを支持する。このため、駆動モータ５や駆動伝達機構Ｄの温度上昇が緩和されて揮発物質が発生し難い。
【００４３】
実施の形態１では、図６に示すように、駆動伝達機構Ｄは、筺体７と駆動板金３の間隔に配置される。このため、排出された記録材等が駆動伝達機構Ｄへ接触し難い。
【００４４】
実施の形態１では、図６に示すように、駆動モータ５は、出力軸を筺体７と駆動板金３の間隔に位置させて駆動板金３の筺体７とは反対側の面に配置される。このため、駆動モータ５の空冷効果が高く温度上昇が緩和されて揮発物質が発生し難い。
【００４５】
実施の形態１では、図６に示すように、駆動板金３は、筺体７に対して所定方向へ取り付け位置を調整可能に取り付けられている。このため、歯付きベルト８の張力を調整可能である。
【００４６】
実施の形態１では、図６に示すように、駆動板金３は、板金を折り曲げて脚部３ｆを形成し、脚部３ｆの先端側を外側へ曲げて筺体７に対する取り付け部３ｇを形成している。このため、駆動板金３を低コストに製作可能である。
【００４７】
実施の形態１では、図６に示すように、駆動固定板４は、駆動板金３の筺体７への取り付けに伴って筺体７に固定されている。このため、駆動固定板４を筺体７に別途固定する作業が不要である。
【００４８】
実施の形態１では、図７に示すように、板部材の一例である駆動固定板４は、駆動開口部４ｂを有して筺体７から取り外し可能である。このため、駆動固定板４を筺体７から取り外した状態で歯付きプーリ２を大きく移動して歯付きベルト８に掛け渡すことが可能である。
【００４９】
実施の形態１では、図７に示すように、歯付きプーリ２は、筺体７に形成された駆動開口部４ｂを通じて、筐体内空間７ｓに歯付きベルト８との係合部を位置させ、筐体内空間７ｓの外部に駆動伝達機構Ｄとの係合部を位置させている。このため、駆動伝達機構Ｄで発生した揮発物質が駆動開口部４ｂを通じて筐体内空間７ｓに侵入し難い。
【００５０】
実施の形態１では、図７に示すように、歯付きプーリ２は、筐体内空間７ｓの外部に位置して回転軸線に垂直な断面積が駆動開口部４ｂの面積よりも大きい段差部２ａを有する。このため、駆動モータ５や駆動伝達機構Ｄで発生した揮発物質が駆動開口部４ｂを通じて筐体内空間７ｓに侵入し難い。
【００５１】
実施の形態１では、図６に示すように、駆動板金３において駆動モータ５及び駆動伝達機構Ｄを覆っているカバー部分以外の面は穴形状を備えているため、過熱した空気が内部に停滞して駆動伝達機構Ｄを過熱させることがない。
【００５２】
＜実施の形態２＞
図８は実施の形態２における駆動板金の説明図である。実施の形態２では、駆動板金３Ｅは、板金の四辺を起立させて箱型に形成されている。それ以外の構成は実施の形態１と同一であるため重複する説明を省略する。
【００５３】
図８に示すように、実施の形態２では、駆動板金３Ｅは内部を包囲する形状をしており、駆動ユニット１の機構部分を覆い隠す様な形状のケースになっている。そのため、駆動ギア６に塗布されたグリスが蒸発した際、その蒸発成分を駆動ユニット１のケース内に留め、外部への漏れを低減、防止することができる。また、図１に示す排出トレイ２２排出された記録材等が実施の形態１よりも駆動伝達機構Ｄへ接触し難い。
【００５４】
また、画像読取装置１１は、駆動板金３Ｅの代わりに、駆動ユニット１を固定する駆動固定板４が駆動ユニット１を四方から覆い隠す様な形状とすることでも、蒸発したグリスを透明ガラス板１３の内側面に付着することを防止できる。
【００５５】
＜実施の形態３＞
図９は実施の形態３における駆動板金の説明図である。実施の形態３では、駆動板金３Ｆは、筺体７に取り付けられる駆動固定板４上に固定されている。それ以外の構成は実施の形態１と同一であるため重複する説明を省略する。
【００５６】
図９に示すように、実施の形態３では、駆動固定板４から駆動ユニット１が画像読取装置１１の外部に露出するような形状で構成されている。駆動モータ５を積極的に外部に露出することで連続的に画像読み取りを実行した時でも駆動モータ５の昇温を抑えられるため、内部のグリスが蒸発し難くなる。
【００５７】
実施の形態３では、駆動ユニット１の側面にカバー面がなく、駆動伝達機構Ｄが外部に露出する構成を持つため、駆動モータ５の自己昇温の低減効果が得られる、グリスの蒸発量自体を抑えられる。更に、図１に示すように、画像形成装置１０のエアフローをうまく利用することでより積極的に駆動モータ５を冷却することが可能なため、冷却ファンを追加することなく効率的に駆動モータ５の冷却効果を得られる。また、対流によってグリスの蒸発成分が上がって来たとしても、駆動固定板４と駆動板金３Ｆとの隙間が小さいため、画像読取装置１１内に進入することがなく、透明ガラス板面へのグリス蒸発成分の付着を防止することが可能である。
【００５８】
＜その他の実施の形態＞
本発明は、実施の形態１乃至３の具体的な構成には限定されない。駆動モータが筐体内空間の外部に配置される限りにおいて、実施の形態１乃至３の構成の一部又は全部を別の等価な要素に置き換えた構成で実施できる。
【００５９】
実施の形態１では、駆動モータは、パルスモータを採用したがＡＣモータ、ＤＣブラシレスモータ、変速機付きのギアモータを採用してもよい。歯付きベルト８は、ワイヤ、Ｖベルト、チェーンに置き換えてもよい。画像読み取り装置１１は、画像形成装置に組み込まれた形態のみならず、単独で動作するイメージスキャナの形態、工作機械等、画像形成装置以外の装置に組み込まれた図面等読み取り部として実施してもよい。画像形成装置は電子写真方式のみならず、インクジェット方式、通常の各種印刷方式で画像形成を行ってもよい。
【符号の説明】
【００６０】
１  駆動ユニット、２  歯付きプーリ、３、３Ｅ、３Ｆ  駆動板金
４  駆動固定板、５  駆動モータ、６  駆動ギア
７  筺体、７ａ  上面筐体、７ｂ  底面筐体
８  歯付きベルト、９  画像読取センサ、１０  画像形成装置
１０Ａ  装置本体、１１  画像読取装置、１２  原稿給送装置
１３  透明ガラス板、１４  発光部、１５  露光装置
１６  カセット、１７  分離ローラ、１８  転写ローラ
１９  感光ドラム、２０  定着装置、２１  排出ローラ
２２  排出トレイ、２３  反転搬送経路、２４  マルチトレイ
２７  原稿排出トレイ、３０  移動部、３４  画像読取部
４０  トナー像形成部、４１  レジストローラ、４２  帯電ローラ
４３  現像装置、４４  ドラムクリーニング装置、Ｄ  駆動伝達機構、Ｇ  原稿
【図１】
2016096372.tif 000003
【図２】
2016096372.tif 000004
【図３】
2016096372.tif 000005
【図４】
2016096372.tif 000006
【図５】
2016096372.tif 000007
【図６】
2016096372.tif 000008
【図７】
2016096372.tif 000009
【図８】
2016096372.tif 000010
【図９】
2016096372.tif 000011